(57)【特許請求の範囲】
【請求項１】
老朽化した既設管をライニングするライニング管の接続方法であって、
帯状部材を螺旋状に巻回し、隣接する帯状部材の側縁同士を接続して螺旋管によりライニング管を形成する工程と、
既設管内に２枚の帯状板と帯状板の片面同士を間隔を隔てて連結する連結手段とからなる接続部材を搬入する工程と、
外側の帯状板を既設管内面に沿って湾曲させて端部を接続する工程と、
内側の帯状板をライニング管内面に沿って湾曲させて端部を接続する工程と、
２枚の帯状板の片面同士を連結手段により連結する工程と、
２枚の帯状板の挿入間隙に双方のライニング管の端部同士を接続する工程と、
を包含することを特徴とするライニング管の接続方法。
【請求項２】
接続部材の挿入代が、螺旋管を構成する帯状部材の幅の長さ以上であることを特徴とする請求項１記載のライニング管の接続方法。
【請求項３】
帯状部材を螺旋状に巻回し、隣接する帯状部材の側縁同士を接続して螺旋管によりライニング管を構成して、ライニング管の端部同士を接続部材によって接続して、老朽化した既設管をライニングするライニング管の接続方法に使用できるライニング管接続部材であって、
前記接続部材は内側および外側の２枚の帯状板からなり、外側の帯状板は前記既設管内面に沿って湾曲されて端部が接続され、内側の帯状板はライニング管内面に沿って湾曲されて端部が接続され、該内外２枚の帯状板の片面同士が間隔を隔てて連結手段により連結され、２枚の帯状板の片面同士間にライニング管の端部が挿入できる挿入間隙が形成されるようになっていることを特徴とするライニング管接続部材。
【発明の詳細な説明】
【０００１】
【発明の属する技術分野】
本発明は、ライニング管の接続方法及びライニング管接続部材に関するものである。
【０００２】
【従来の技術】
従来、例えば、特開平１−２１９２２７号公報等に記載されているように、上水道管、下水道管及びガス管等の既設管内にライニング管を挿入し、既設管をライニングする方法が知られている。
従来、既設管内でライニングする場合に、既設管のライニングする距離が長大であったり、屈曲部が存在する場合には、ライニング管の端部同士を接続する必要があった。
ライニング管の端部同士の接続には、通常の管継手を使用し、接着剤で接着したり、端部のフランジ部をボルト・ナットで締結したり、或いは、管継手を使用することなく、端部同士を突き合わせ、間隙を充填剤等で充填していた。
【０００３】
【発明が解決しようとする課題】
しかしながら、通常の管継手を使用して接続する方法や端部のフランジ部をボルト・ナットで締結する方法においては、狭小な管渠内での接続作業は困難であった。又、管継手を使用しない接続方法においては、ライニング管同士を直接接続されている訳ではなく、接続部の止水性能や耐久性に問題があった。又、接続施工に多大の時間を要するため、流下物が多い場合には施工困難であった。
【０００４】
本発明は、上記のような従来のライニング管の接続方法における問題点に着目することによりなされたものであり、その目的とするところは、従来のライニング管の接続方法における問題点を解消し、既設管内においてライニング管の端部同士を確実に且つ容易に接続できるライニング管の接続方法及びライニング管接続部材を提供することにある。
【０００５】
【課題を解決するための手段】
上記目的を達成するために、請求項１記載の本発明のライニング管の接続方法は、老朽化した既設管をライニングするライニング管の接続方法であって、帯状部材を螺旋状に巻回し、隣接する帯状部材の側縁同士を接続して螺旋管によりライニング管を形成する工程と、既設管内に２枚の帯状板と帯状板の片面同士を間隔を隔てて連結する連結手段とからなる接続部材を搬入する工程と、外側の帯状板を既設管内面に沿って湾曲させて端部を接続する工程と、内側の帯状板をライニング管内面に沿って湾曲させて端部を接続する工程と、２枚の帯状板の片面同士を連結手段により連結する工程と、２枚の帯状板の挿入間隙に双方のライニング管の端部同士を接続する工程と、を包含することを特徴とする。
請求項２記載の本発明のライニング管の接続方法は、接続部材の挿入代が、螺旋管を構成する帯状部材の幅の長さ以上であることを特徴とする。
請求項３記載の本発明のライニング管接続部材は、帯状部材を螺旋状に巻回し、隣接する帯状部材の側縁同士を接続して螺旋管によりライニング管を構成して、ライニング管の端部同士を接続部材によって接続して、老朽化した既設管をライニングするライニング管の接続方法に使用できるライニング管接続部材であって、前記接続部材は内側および外側の２枚の帯状板からなり、外側の帯状板は前記既設管内面に沿って湾曲されて端部が接続され、内側の帯状板はライニング管内面に沿って湾曲されて端部が接続され、該内外２枚の帯状板の片面同士が間隔を隔てて連結手段により連結され、２枚の帯状板の片面同士間にライニング管の端部が挿入できる挿入間隙が形成されるようになっていることを特徴とする。
【０００６】
本発明において、ライニング管及び接続部材の材質としては、従来からライニング管の材質として使用されているものがそのまま使用できるものであって、特に限定されないが、例えば、塩化ビニル樹脂、ポリエチレン、ポリプロピレン、ポリカーボネート、ポリエステル等の耐久性に富む合成樹脂、或いは、これらの合成樹脂をガラス繊維で補強したもの等が使用できる。
【０００７】
〔作用〕
請求項１記載の本発明では、既設管内面に沿って湾曲された接続部材の帯状板の内方に接続しようとする双方のライニング管の端部を挿入し、双方のライニング管の端部同士を接続するものであるから、接続部材の帯状板をマンホール等の地上開口部から搬入することができ、管渠内の狭小な場所でも接続が容易であり、接続部材によりライニング管の端部同士を強固に接続することができる。
ライニング管が、帯状部材を螺旋状に巻回し、隣接する帯状部材の側縁同士を接続することにより構成された螺旋管であるので、帯状部材をマンホール等の地上開口部から搬入することができ、帯状部材により構成した螺旋管を既設管内を円滑に推進させることができ、ライニング作業が容易となる。
請求項３記載の本発明では、接続部材は内側および外側の２枚の帯状板からなり、外側の帯状板は前記既設管内面に沿って湾曲されて端部が接続され、内側の帯状板はライニング管内面に沿って湾曲されて端部が接続され、この内外２枚の帯状板の片面同士が間隔を隔てて連結手段により連結され、２枚の帯状板の片面同士間にライニング管の端部が挿入できる挿入間隙が形成されるようになっているので、挿入間隙にライニング管の端部を挿入することによりライニング管の端部同士を強固に接続できる。
【０００８】
【発明の実施の形態】
次に、本発明の実施の形態を図により説明する。
図１は本発明の本発明のライニング管の接続方法の一実施態様の要部を示す説明図である。
図１において、１は既設管であり、既設管１は老朽化した下水道管である。既設管１の内径Ｄ１は１２００ｍｍである。
２、２は本発明方法により接続しようとするライニング管であり、ライニング管２は図２の断面図に示すような塩化ビニル樹脂製帯状部材２１を螺旋状に巻回し、隣接する帯状部材２１の側縁同士を接合することにより構成されている。ライニング管２の内径Ｄ２は１１００ｍｍ、厚みＴは２１．５ｍｍである。
【０００９】
帯状部材２１は図２に示すように、基板２１１の片面の両端付近に接合用突条２１２及び接合用凹条２１３が設けられ、中途部に断面Ｔ形の補強用リブ２１４が突設されている。このような帯状部材２１を使用して螺旋管を構成するには、帯状部材２１を螺旋状に巻回し、隣接する帯状部材２１、２１のうちの一方の接合用突条２１２を他方の接合用凹条２１３内に挿入嵌合することにより螺旋管が構成される。
【００１０】
図１に示すように、既設管１内においてライニング管２、２を接合するには、先ず、既設管１内においてライニング管２、２の端部同士間に約１５０ｍｍ程度の間隔Ｌを設けておく。
次いで、図３に示すように、長さ４ｍ程度の接続部材３の外側の帯状板３１を既設管１内に搬入し、ライニング管２、２間において既設管１内面に沿って接続部材３の外側の帯状板３１を湾曲し、ライニング管２、２の端部同士を矢印ｍ、ｎで示すように挿入する。
【００１１】
尚、接続部材３は図４の拡大断面図に示すように、内外の帯状板３１、３２と連結部材３３とから構成されている。内外の帯状板３１、３２の片面には係合用凹凸が設けられた凸条３１１、３２１が突設されている。連結部材３３の相配向する２面には凹溝３３１が設けられ、凹溝３３１には係合用凹凸が設けられ、凹溝３３１内に内外の帯状板３１、３２の凸条３１１、３２１を挿入係合することにより内外の帯状板３１、３２が連結部材３３により連結されるようになっている。
【００１２】
次いで、図５に示すように、連結部材３３が取付けられた内側の帯状体３２を搬入し、内側の帯状体３２をライニング管２の内面に沿って湾曲させ、連結部材３３の凹溝３３１内に外側の帯状板３１の凸条３１１が挿入係合させ、内外の帯状体３１、３２を連結部材３３により連結させることにより内外の帯状体３１、３２によりライニング管２、２の端部同士を接続する。ライニング管２、２の端部の内外の帯状体３１、３２間への挿入代の長さＬ２（図３）は帯状部材２１の幅Ｌ３よりも大きくされている。
【００１３】
内外の帯状体３１、３２とライニング管２、２の端部との間を接着してもよく充填剤で充填してもよい。
【００１４】
このようにして接続されたライニング管２、２の端部同士は接続部材３により強固に接続される。接続部材３は内外の帯状板３１、３２と連結部材３３とから構成されており、これらは既設管１内に容易に搬入することができ、これらを湾曲することによりライニング管２、２の端部同士を容易に接続できる。
【００１５】
ライニング管２、２の端部の内外の帯状体３１、３２間への挿入代の長さＬ２（図３）は帯状部材２１の幅Ｌ３よりも大きくされているので、帯状部材２１、２１同士の接合部は内外の帯状体３１、３２によりカバーされ、帯状部材２１、２１同士の接合部から漏水する恐れはない。
【００１６】
尚、叙上のように、接続部材３のうちの外側の帯状体３１を搬入し、その後に内側の帯状体３２を搬入し、連結部材３３により連結させる代わりに、内外の帯状体３１、３２が連結部材３３により連結させた接続部材３を双方のライニング管２、２の端部同士の間に挿入し、その後にライニング管２、２の端部を内外の帯状体３１、３２の間に挿入するようにしてもよい。
【００１７】
図６は接続部材の他の一例を示す拡大断面図である。
図６に示す接続部材３ａにおいては、一方の帯状板３１ａに凸条３１１ａが突設され、凸条３１１ａの先端に凹溝３１２が凹設され、凹溝３１２には係合用凹凸が設けられている。他方の帯状板３２ａに凸条３２１が突設され、凸条３２１には係合用凹凸が設けられている。一方の帯状板３１ａの凹溝３１２内に他方の帯状板３２ａの凸条３２１を挿入係合することにより双方の帯状板３１ａ、３２ａを連結することができるようになっている。
本発明方法においては、図４に示す接続部材３を使用する代わりに図６に示す接続部材３ａを使用してもよい。
【００１８】
図７は接続部材の更に異なる他の一例を使用した接続態様を示す断面図である。図７に示す接続部材３ｂにおいては、内外の帯状板３１ｂ、３２ｂに先太の凸条３１１ｂ、３１２ｂが突設され、連結部材３３ｂの相配向する２面には奥広がりの凹溝３３１ｂが設けられ、凹溝３３１ｂ内に内外の帯状板３１ｂ、３２ｂの先太の凸条３１１ｂ、３２１ｂを挿入することにより内外の帯状板３１ｂ、３２ｂが連結部材３３ｂにより連結されるようになっている。
【００１９】
図７に示すように、内外の帯状板３１ｂ、３２ｂの間に双方のライニング管２、２の端部が挿入されることによりライニング管２、２が接続される。尚、４は空隙内に充填された水膨張性止水剤である。
【００２０】
図８は本発明方法の他の実施態様の要部を示す断面図、図９は図８の円Ａで囲まれた箇所を拡大して示す断面図である。
図８、９に示す態様においては、曲折された既設管１ｃ内におけるライニング管２、２ｃの接続態様であり、一方のライニング管２は図２に示す帯状部材２１を螺旋状に巻回することにより構成された図７に示す螺旋管と同様な螺旋管であり、他方のライニング管２ｃは、曲がり管継手である。又、接続部材３ｃとしては図７に示す接続部材３ｂと同様の構造のものが使用されている。５は既設管１ｃとライニング管２ｃとの間に充填されたモルタルである。
【００２１】
以上、本発明の実施の形態を図面により詳述してきたが、具体的な構成はこの実施の形態に限られるものではなく、本発明の要旨を逸脱しない範囲における設計の変更等があっても本発明に含まれる。
【００２２】
接続部材３の内外の帯状板３１、３２の連結は、図示の実施の形態のように、帯状板３１、３２の凸条３１１、３２１を連結部材３３の凹溝３３１内に挿入係合することによる代わりに、内外の帯状板３１、３２を連結部材３３に接着するようにしてもよい。
【００２３】
【発明の効果】
本発明においては、接続部材の帯状板をマンホール等の地上開口部から搬入することができ、管渠内の狭小な場所でも接続が容易であり、接続部材によりライニング管の端部同士を強固に接続することができる。帯状部材をマンホール等の地上開口部から搬入することができ、帯状部材により構成した螺旋管を既設管内を円滑に推進させることができ、ライニング作業が容易となる。挿入間隙にライニング管の端部を挿入することによりライニング管の端部同士を強固に且つ容易に接続できる。
【図面の簡単な説明】
【図１】  本発明のライニング管の接続方法の一実施態様を示す説明図。
【図２】  図１に示す螺旋管を構成する帯状部材の断面図。
【図３】  図１に示す態様の次工程の態様を示す説明図。
【図４】  接続部材の一例を示す拡大断面図。
【図５】  図３に示す態様の次工程の態様を示す説明図。
【図６】  接続部材の他の一例を示す拡大断面図。
【図７】  接続部材の更に異なる他の一例を使用した接続態様示す拡大断面図。
【図８】  本発明のライニング管の接続方法の他の一実施態様を示す断面図。
【図９】  図８の円Ａで囲む部分の拡大断面図。
【符号の説明】
１、１ｃ  既設管
２、２ｃ  ライニング管
３、３ａ、３ｂ、３ｃ  接続部材
【図１】
0004495268.tif 000002
【図２】
0004495268.tif 000003
【図３】
0004495268.tif 000004
【図４】
0004495268.tif 000005
【図５】
0004495268.tif 000006
【図６】
0004495268.tif 000007
【図７】
0004495268.tif 000008
【図８】
0004495268.tif 000009
【図９】
0004495268.tif 000010